【手続補正書】
【提出日】平成20年8月5日(2008.8.5)
【手続補正１】
【補正対象書類名】特許請求の範囲
【補正対象項目名】全文
【補正方法】変更
【補正の内容】
【特許請求の範囲】
【請求項１】
情報通信端末によりネットワークを通じて利用者の情報を記憶し及び管理する手段と、
前記利用者が属する集団の情報を記憶し及び管理する手段と、
前記利用者の行動結果に対する評価を、前記集団の評価情報として計算する手段と、
前記集団の評価情報を記憶し及び管理する手段と、
前記利用者の行動履歴を、前記集団の行動履歴として記憶し及び管理する手段とを具え、
前記集団の情報、前記集団の評価情報及び前記集団の行動履歴を、前記情報通信端末により前記ネットワークを通じて取得できるようにしたことを特徴とする集団形成支援評価装置。
【請求項２】
前記利用者の行動結果に対する評価を、前記利用者の評価情報として計算する手段と、
前記利用者の評価情報を記憶し及び管理する手段と、
前記利用者の行動履歴を記憶し及び管理する手段とを更に具え、
前記利用者の評価情報及び前記利用者の行動履歴を、前記集団に属する利用者の情報通信端末により前記ネットワークを通じて取得できるようにしたことを特徴とする請求項１記載の集団形成支援評価装置。
【請求項３】
前記利用者の行動結果に対する評価を、前記利用者の評価情報として計算する手段と、
前記利用者の評価情報を記憶し及び管理する手段と、
前記利用者の行動履歴を記憶し及び管理する手段と、
前記利用者の評価情報及び前記利用者の行動履歴又は前記利用者が属する集団の評価情報及び当該集団の行動履歴に基づいて、前記利用者若しくは前記集団への警告又は前記利用者の前記集団からの排除若しくは前記集団の排除の基準となるルールを設定する手段と、
前記ルールに該当する利用者又は前記ルールに該当する集団を特定し、特定された利用者若しくは集団に警告を行い又は前記利用者を前記集団から排除し若しくは前記集団を排除する手段とを更に具えることを特徴とする請求項１記載の集団形成支援評価装置。
【請求項４】
前記利用者の行動結果に対する評価を、前記利用者の評価情報として計算する手段と、
前記利用者の評価情報を記憶し及び管理する手段と、
前記利用者の行動履歴を記憶し及び管理する手段と、
前記利用者の評価情報及び前記利用者の行動履歴又は前記利用者が属する集団の評価情報及び当該集団の行動履歴に基づいて、前記利用者又は前記集団に報酬を与える基準となるルールを設定する手段と、
前記ルールに該当する利用者又は前記ルールに該当する集団を特定し、特定された利用者又は集団に報酬を与える手段とを更に具えることを特徴とする請求項１記載の集団形成支援評価装置。
【請求項５】
前記集団の評価情報が、
前記利用者がつけた評価情報と、
前記利用者が属する集団がつけた評価情報と、
前記利用者が指定する少なくとも一つ以上の集団がつけた評価情報と、
前記集団が前記利用者につけた評価情報と、
前記集団により前記利用者が属する集団につけた評価情報と、
前記集団により前記利用者が指定する少なくとも一つ以上の集団につけた評価情報のうちの少なくとも一つ以上を有することを特徴とする請求項１から４のうちのいずれか１項に記載の集団形成支援評価装置。
【請求項６】
前記集団の行動履歴が、
前記利用者との間の行動履歴と、
前記利用者が属する集団との間の行動履歴と、
前記利用者が指定する少なくとも一つ以上の集団との間の行動履歴のうちの少なくとも一つ以上を有することを特徴とする請求項１から５のうちのいずれか１項に記載の集団形成支援評価装置。
【請求項７】
情報通信端末によりネットワークを通じて利用者の情報を記憶し及び管理するとともに、前記利用者が属する集団の情報を記憶し及び管理するステップと、
前記利用者の行動結果に対する評価を、前記集団の評価情報として計算し、前記集団の評価情報を記憶し及び管理するとともに、前記利用者の行動履歴を、前記集団の行動履歴として記憶し及び管理するステップとを具え、
前記集団の情報、前記集団の評価情報及び前記集団の行動履歴を、前記情報通信端末により前記ネットワークを通じて取得できるようにすることを特徴とする集団形成支援評価方法。
【請求項８】
前記利用者の行動結果に対する評価を、前記利用者の評価情報として計算し、前記利用者の評価情報を記憶し及び管理するとともに、前記利用者の行動履歴を記憶し及び管理するステップを更に具え、
前記利用者の評価情報及び前記利用者の行動履歴を、前記集団に属する利用者の情報通信端末により前記ネットワークを通じて取得できるようにすることを特徴とする請求項７記載の集団形成支援評価方法。
【請求項９】
前記利用者の行動結果に対する評価を、前記利用者の評価情報として計算し、前記利用者の評価情報を記憶し及び管理するとともに、前記利用者の行動履歴を記憶し及び管理するステップと、
前記利用者の評価情報及び前記利用者の行動履歴又は前記利用者が属する集団の評価情報及び当該集団の行動履歴に基づいて、前記利用者若しくは前記集団への警告又は前記利用者の前記集団からの排除若しくは前記集団の排除の基準となるルールを設定するステップと、
前記ルールに該当する利用者又は前記ルールに該当する集団を特定し、特定された利用者若しくは集団に警告を行い又は前記利用者を前記集団から排除し若しくは前記集団を排除するステップとを更に具えることを特徴とする請求項７記載の集団形成支援評価方法。
【請求項１０】
前記利用者の行動結果に対する評価を、前記利用者の評価情報として計算し、前記利用者の評価情報を記憶し及び管理するとともに、前記利用者の行動履歴を記憶し及び管理するステップと、
前記利用者の評価情報及び前記利用者の行動履歴又は前記利用者が属する集団の評価情報及び当該集団の行動履歴に基づいて、前記利用者又は前記集団に報酬を与える基準となるルールを設定するステップと、
前記ルールに該当する利用者又は前記ルールに該当する集団を特定し、特定された利用者又は集団に報酬を与えるステップとを更に具えることを特徴とする請求項７記載の集団形成支援評価方法。
【請求項１１】
前記集団の評価情報が、
前記利用者がつけた評価情報と、
前記利用者が属する集団がつけた評価情報と、
前記利用者が指定する少なくとも一つ以上の集団がつけた評価情報と、
前記集団が前記利用者につけた評価情報と、
前記集団により前記利用者が属する集団につけた評価情報と、
前記集団により前記利用者が指定する少なくとも一つ以上の集団につけた評価情報のうちの少なくとも一つ以上を有することを特徴とする請求項７から１０のうちのいずれか１項に記載の集団形成支援評価方法。
【請求項１２】
前記集団の行動履歴が、
前記利用者との間の行動履歴と、
前記利用者が属する集団との間の行動履歴と、
前記利用者が指定する少なくとも一つ以上の集団との間の行動履歴のうちの少なくとも一つ以上を有することを特徴とする請求項７から１１のうちのいずれか１項に記載の集団形成支援評価方法。
【手続補正２】
【補正対象書類名】明細書
【補正対象項目名】０００７
【補正方法】変更
【補正の内容】
【０００７】
本発明による集団形成支援評価装置は、
情報通信端末によりネットワークを通じて利用者の情報を記憶し及び管理する手段と、
前記利用者が属する集団の情報を記憶し及び管理する手段と、
前記利用者の行動結果に対する評価を、前記集団の評価情報として計算する手段と、
前記集団の評価情報を記憶し及び管理する手段と、
前記利用者の行動履歴を、前記集団の行動履歴として記憶し及び管理する手段とを具え、
前記集団の情報、前記集団の評価情報及び前記集団の行動履歴を、前記情報通信端末により前記ネットワークを通じて取得できるようにしたことを特徴とする。